(57)【要約】【課題】調湿装置における給気ファン(45)及び排気ファン(46)の運転音を室内に漏出し難くして、室内騒音を低下させる。【解決手段】各々凝縮器と蒸発器とを交互に繰り返す熱交換器(2)，(3)と、熱交換器(2)，(3)を通過する空気に接触する吸着材とを設け、８つのダンパ(31)〜(38)の切換えにより、外気吸込口(15)から吸い込んだ室外空気(OA)を給気口(17)から室内に吹き出させる給気経路(41)を一方の熱交換器(2)に、また内気吸込口(18)から吸い込んだ室内空気(RA)を排気口(16)から室外に吹き出す排気経路(42)を他方の熱交換器(3)にそれぞれ経由させたり、給気経路(41)を他方の熱交換器(3)に、また排気経路(42)を一方の熱交換器(2)にそれぞれ経由させたりして、室内を除湿又は加湿して調湿する。給気経路(41)の給気ファン(45)を押込みタイプとし、排気経路(42)の排気ファン(46)を吸込みタイプとする。【選択図】図１
2005283047.tif 000002
【特許請求の範囲】
【請求項１】
除湿した第１空気及び加湿した第２空気の一方を室内に供給しかつ他方を室外に排出する調湿装置であって、
吸着材を担持した第１及び第２熱交換器(2)，(3)が接続されて冷凍サイクルを行うとともに冷媒の循環方向が反転可能な冷媒回路(B)と、
内部の空気通路(41)，(42)に上記熱交換器(2)，(3)が配置されたケース(10)と、
上記空気経路(41)，(42)に配置され、室内に給気するための給気ファン(45)及び室外に排気するための排気ファン(46)と、
上記第１熱交換器(2)を第１空気が通過して第２熱交換器(3)を第２空気が通過する第１通気モードと、第１熱交換器(2)を第２空気が通過して第２熱交換器(3)を第１空気が通過する第２通気モードとを、上記冷媒回路(B)での冷媒の循環方向に応じて切り換える複数
のダンパとを備え、
上記給気ファン(45)は、空気経路(41)における第１及び第２熱交換器(2)，(3)の上流側に配置され、
排気ファン(46)は、空気経路(42)における第１及び第２熱交換器(2)，(3)の下流側に配置されていることを特徴とする調湿装置。
【請求項２】
請求項１の調湿装置において、
ケース(10)の壁部の少なくとも一部に、内気吸込口(18)及び給気口(17)が開口する露出パネル(11)が設けられていて、
上記ケース(10)が室内の天井部に上記露出パネル(11)を室内に露出させるように設置されることを特徴とする調湿装置。
【請求項３】
請求項１又は２の調湿装置において、
給気ファン(45)及び排気ファン(46)は、共にファン回転軸線がケース(10)の表裏面と略平行になるように縦向きに配置されていることを特徴とする調湿装置。
【請求項４】
請求項１又は２の調湿装置において、
給気ファン(45)又は排気ファン(46)の一方は、ファン回転軸線がケース(10)の表裏面と略平行になるように縦向きに配置されている一方、
給気ファン(45)又は排気ファン(46)の他方は、ファン回転軸線がケース(10)の表裏面と略直交するように横向きに配置されていることを特徴とする調湿装置。
【請求項５】
請求項４の調湿装置において、
給気ファン(45)が横向きに配置されていることを特徴とする調湿装置。
【請求項６】
請求項４の調湿装置において、
排気ファン(46)が横向きに配置されていることを特徴とする調湿装置。
【請求項７】
請求項１〜６のいずれか１つの調湿装置において、
ファン(45)，(46)は、回転軸方向の両側から空気を吸い込む両吸込構造のものであることを特徴とする調湿装置。
【請求項８】
請求項１〜７のいずれか１つの調湿装置において、
熱交換器(2)，(3)がケース(10)の表裏面と略平行となるように横置きに配置されていることを特徴とする調湿装置。
【請求項９】
請求項１〜７のいずれか１つの調湿装置において、
熱交換器(2)，(3)がケース(10)の表裏面と略直交するように縦置きに配置されているこ
とを特徴とする調湿装置。
【請求項１０】
請求項１〜９のいずれか１つの調湿装置において、
複数のダンパ(71)〜(74)が第１及び第２熱交換器(2)，(3)の間に配置されていることを特徴とする調湿装置。
【請求項１１】
請求項１〜９のいずれか１つの調湿装置において、
複数のダンパ(31)〜(38)が第１及び第２熱交換器(2)，(3)の間以外の位置に配置されていることを特徴とする調湿装置。
【請求項１２】
請求項１〜１１のいずれか１つの調湿装置において、
ケース(10)には室内に開口する第１及び第２開口(61)，(62)が設けられ、
４つのダンパ(71)〜(74)による通気モードの切換えにより、第１通気モードでは上記第１又は第２開口(61)，(62)の一方から室内空気を吸い込んで第１開口又は第２開口(61)，(62)の他方から室内へ空気を供給し、第２通気モードでは第１又は第２開口(61)，(62)の他方から室内空気を吸い込んで第１又は第２開口(61)，(62)の一方から室内へ空気を供給するように構成されていることを特徴とする調湿装置。
【請求項１３】
請求項１又は２の調湿装置において、
給気ファン(45)及び排気ファン(46)は１つの共通のファンモータ(48)に駆動連結されていることを特徴とする調湿装置。
【請求項１４】
請求項１〜１３のいずれか１つの調湿装置において、
ケース(10)における外気吸込口(15)、排気口(16)、給気口(17)及び内気吸込口(18)の少なくとも１つが複数の位置に変更可能に設けられていることを特徴とする調湿装置。
【請求項１５】
請求項１〜１４のいずれか１つの調湿装置において、
ケース(10)における給気口(17)及び内気吸込口(18)の少なくとも一方に連通する空間に臨むケース(10)壁部にダクトが接続可能に設けられていることを特徴とする調湿装置。
【発明の詳細な説明】
【技術分野】
【０００１】
本発明は、空気の湿度調節を行う調湿装置に関し、特に、冷凍サイクルを行って吸着材の再生や冷却を行うものに関する。
【背景技術】
【０００２】
従来より、例えば特許文献１に開示されているように、吸着材と冷凍サイクルとを利用して空気の湿度調節を行う調湿装置が知られている。この調湿装置は２つの吸着ユニットを備え、各吸着ユニットは、吸着材が充填されたメッシュ容器と、このメッシュ容器を貫通する冷媒管とで構成されている。各吸着ユニットの冷媒管は、冷凍サイクルを行う冷媒回路に接続されている。また、上記調湿装置には、各吸着ユニットへ送られる空気を切り換えるためのダンパが設けられている。
【０００３】
上記調湿装置の運転中には冷媒回路の圧縮機が運転され、２つの吸着ユニットの一方が蒸発器となって他方が凝縮器となる冷凍サイクルが行われる。また、冷媒回路では、四方切換弁を操作することによって冷媒の循環方向が切り換わり、各吸着ユニットは交互に蒸発器として機能したり凝縮器として機能したりする。
【０００４】
上記調湿装置の加湿運転では、室外から室内へ向けて流れる給気を凝縮器となる吸着ユニットへ導き、吸着材から脱離した水分で給気を加湿する。その際、室内から室外へ向けて流れる排気を蒸発器となる吸着ユニットへ導き、排気中の水分を吸着材に回収する。一方、調湿装置の除湿運転では、室外から室内へ向けて流れる給気を蒸発器となる吸着ユニットへ導き、吸気中の水分を吸着材に吸着させる。その際、室内から室外へ向けて流れる排気を凝縮器となる吸着ユニットへ導き、吸着材から脱離した水分を排気と共に室外へ排出する。
【０００５】
尚、上記吸着ユニットと同様の機能を有するものとしては、例えば特許文献２に開示されているような熱交換部材も知られている。この熱交換部材では、銅管の周囲に板状のフィンが設けられ、この銅管やフィンの表面に吸着材が担持されている。そして、この熱交換部材は、銅管内を流れる流体によって吸着材の加熱や冷却を行うように構成されている。
【特許文献１】特開平８−１８９６６７号公報
【特許文献２】特開平７−２６５６４９号公報
【発明の開示】
【発明が解決しようとする課題】
【０００６】
ところで、上記従来のような調湿装置の例として、ケース内に空気経路を設けて２つの熱交換器を配置した調湿装置が考えられる。この調湿装置では、ケース内の空気経路に、室内に給気するための給気ファン及び室外に排気するための排気ファンを配置し、除湿される空気が一方の熱交換器を通過し、加湿される空気が他方の熱交換器を通過する第１通気モードと、逆に、加湿される空気が一方の熱交換器を通過し、除湿される第１空気が他方の第２熱交換器を通過する第２通気モードとを、冷媒回路での冷媒の循環方向に応じて切り換えることにより、除湿された空気又は加湿された空気の一方を調湿空気として室内へ供給することができる。
【０００７】
しかし、その場合、上記ケースにおいて、室内に連通して給気口及び内気吸込口となる２つの開口の各近くにファンの吐出口が配置されていると、その送風音が室内に直接的に漏出して、騒音の点で難がある。特に、給気口及び内気吸込口が室内に露出しているいわ
ゆるカセットタイプのものでは、給気口及び内気吸込口が室内に露出していないタイプに比べて上記騒音の問題が顕著になるのは避けられない。
【０００８】
本発明は斯かる諸点に鑑みてなされたもので、その目的は、上記カセットタイプに限らず、一般の調湿装置において、そのファンの配置構造を特定することにより、ファンの送風音が室内に漏出するのを可及的に低減しようとすることにある。
【課題を解決するための手段】
【０００９】
上記の目的を達成するために、この発明では、２つのファンをいずれも空気経路において室内側から離れた室外側に配置して、空気を室内へ向けて供給するファンについては押込みファンとする一方、室内から空気を吸い込むファンについては吸込みファンとするようにした。
【００１０】
具体的には、請求項１の発明では、除湿した第１空気及び加湿した第２空気の一方を室内に供給しかつ他方を室外に排出する調湿装置であって、吸着材を担持した第１及び第２熱交換器(2)，(3)が接続されて冷凍サイクルを行うとともに冷媒の循環方向が反転可能な冷媒回路(B)と、内部の空気通路(41)，(42)に上記熱交換器(2)，(3)が配置されたケース(10)と、上記空気経路(41)，(42)に配置され、室内に給気するための給気ファン(45)及び
室外に排気するための排気ファン(46)と、上記第１熱交換器(2)を第１空気が通過して第
２熱交換器(3)を第２空気が通過する第１通気モード、及び第１熱交換器(2)を第２空気が通過して第２熱交換器(3)を第１空気が通過する第２通気モードを、上記冷媒回路(B)での冷媒の循環方向に応じて切り換える複数のダンパとを備え、上記給気ファン(45)は、空気経路(41)における第１及び第２熱交換器(2)，(3)の上流側に配置され、排気ファン(46)は、空気経路(42)における第１及び第２熱交換器(2)，(3)の下流側に配置されていることを特徴とする。
【００１１】
上記の構成によると、室内を加湿する場合、例えば最初に、冷媒回路(B)が第１熱交換
器(2)を凝縮器としかつ第２熱交換器(3)を蒸発器とする冷凍サイクル動作になるとともに、ダンパの切換えにより、第１熱交換器(2)を第２空気が通過して第２熱交換器(3)を第１空気が通過する第２通気モードとなる。このことで、給気ファン(45)の作動により第２空気が凝縮器となっている第１熱交換器(2)を経由し、この熱交換器(2)での吸着材に対する凝縮加熱（再生）により、吸着材に吸着されている水分が吸着材から空気中に放出されて空気が加湿され、この加湿された第２空気は調湿空気として室内に吹き出される。一方、排気ファン(46)の作動により、第１空気が蒸発器となっている第２熱交換器(3)を経由し
、この熱交換器(3)での吸着材に対する蒸発加熱により、冷却により吸着材が空気中の水
分を吸着して空気が除湿され、この除湿された第１空気は室外に吹き出される。
【００１２】
この後、冷媒回路(B)の冷凍サイクル動作が、第２熱交換器(3)が凝縮器となりかつ第１熱交換器(2)が蒸発器となる冷凍サイクル動作に切り換えられるとともに、この切換えに
応じて、ダンパが切り換えられて、第１熱交換器(2)を第１空気が通過して第２熱交換器(3)を第２空気が通過する第１通気モードとなる。このことで、上記給気ファン(45)の作動により第２空気は、凝縮器となっている第２熱交換器(3)を経由して該熱交換器(3)で加湿され、この加湿された空気は調湿空気として室内に吹き出される。一方、排気ファン(46)の作動により、第１空気が、蒸発器となっている第１熱交換器(2)を経由して該熱交換器(2)で除湿され、この除湿された空気は室外に吹き出される。
【００１３】
次いで、最初の冷凍サイクル動作及び通気モードに切り換わり、以後は２つの冷凍サイクル動作及び通気モードを繰り返す。このことで、第２空気が加湿されて室内に吹き出されるとともに、それに代えて、第１空気は除湿されて室外に排出される。
【００１４】
これに対し、室内を除湿する場合には、例えば最初に、冷媒回路(B)が第１熱交換器(2)を凝縮器としかつ第２熱交換器(3)を蒸発器とする冷凍サイクル動作になるとともに、ダ
ンパの切換えにより、第１熱交換器(2)を第２空気が通過して第２熱交換器(3)を第１空気が通過する第２通気モードとなる。このことで、給気ファン(45)の作動により第１空気が、蒸発器となっている第２熱交換器(3)を経由して該熱交換器(3)で除湿され、この除湿された空気は調湿空気として室内に吹き出される。一方、排気ファン(46)の作動により、第２空気が、凝縮器となっている第１熱交換器(2)を経由して該熱交換器(2)で加湿され、この加湿された空気は室外に吹き出される。
【００１５】
この後、冷媒回路(B)の冷凍サイクル動作が、第２熱交換器(3)が凝縮器となりかつ第１熱交換器(2)が蒸発器となる冷凍サイクル動作に切り換えられるとともに、この切換えに
応じて、ダンパが切り換えられて、第１熱交換器(2)を第１空気が通過して第２熱交換器(3)を第２空気が通過する第１通気モードとなる。このことで、上記給気ファン(45)の作動により第１空気は、蒸発器となっている第１熱交換器(2)を経由して該熱交換器(2)で除湿され、この除湿された空気は調湿空気として室内に吹き出される。一方、排気ファン(46)の作動により、第２空気(RA)が、凝縮器となっている第２熱交換器(3)を経由して該熱交
換器(3)で加湿され、この加湿された空気は室外に吹き出される。
【００１６】
次いで、最初の冷凍サイクル動作及び通気モードに切り換わり、以後は２つの冷凍サイクル動作及び通気モードを繰り返す。このことで、第１空気が除湿されて室内に吹き出されるとともに、それに代えて、第２空気が加湿されて室外に排出される。
【００１７】
そして、上記給気ファン(45)は空気経路(41)における第１及び第２熱交換器(2)，(3)の上流側に配置されて押込みファンを構成している一方、排気ファン(46)は、空気経路(42)における第１及び第２熱交換器(2)，(3)の下流側に配置されて吸込みファンを構成しているので、給気ファン(45)は空気経路(41)において室外側に、また排気ファン(46)も空気経路(42)において室外側にそれぞれ位置することとなり、上記のような室内の調湿時に、空気が調湿されて室内に吹き出され、また空気が室外に吹き出される際、その各ファン(45)，(46)の運転音が室内に漏出し難くなり、上記給気ファン(45)を空気経路(41)における第１及び第２熱交換器(2)，(3)の下流側に配置して吸込みファンとしかつ排気ファン(46)を空気経路(42)における第１及び第２熱交換器(2)，(3)の上流側に配置して押込みファンとする場合に比べ、室内での騒音を低下させることができる。
【００１８】
請求項２の発明では、上記ケース(10)の壁部の少なくとも一部に、内気吸込口(18)及び給気口(17)が開口する露出パネル(11)が設けられていて、上記ケース(10)が室内の天井部に上記露出パネル(11)を室内に露出させるように設置されるカセットタイプのものとする。このことで、内気吸込口(18)及び給気口(17)が開口したカセットタイプの調湿装置に対し、ファンの騒音を有効に低下させることができる。
【００１９】
請求項３の発明では、上記給気ファン(45)及び排気ファン(46)は、共にファン回転軸線がケース(10)の表裏面と略平行になるように縦向きに配置されているものとする。
【００２０】
請求項４の発明では、給気ファン(45)又は排気ファン(46)の一方は、ファン回転軸線がケース(10)の表裏面と略平行になるように縦向きに配置されている一方、給気ファン(45)又は排気ファン(46)の他方は、ファン回転軸線がケース(10)の表裏面と略直交するように横向きに配置されているものとする。
【００２１】
その場合、請求項５の発明では、給気ファン(45)を横向きに配置する。一方、請求項６の発明では、逆に、排気ファン(46)を横向きに配置する。
【００２２】
請求項７の発明では、各ファン(45)，(46)は、回転軸方向の両側から空気を吸い込む両吸込構造のものとする。このことで、各ファン(45)，(46)の外径を小さくして、その分、ケース(10)の表裏面間の寸法を小さくすることができる。
【００２３】
請求項８の発明では、上記熱交換器(2)，(3)はケース(10)の表裏面と略平行となるように横置きに配置されているものとする。
【００２４】
一方、請求項９の発明では、熱交換器(2)，(3)はケース(10)の表裏面と略直交するように縦置きに配置されているものとする。
【００２５】
請求項１０の発明では、上記複数のダンパ(71)〜(74)が第１及び第２熱交換器(2)，(3)の間に配置されている構造とする。
【００２６】
請求項１１の発明では、複数のダンパ(31)〜(38)が第１及び第２熱交換器(2)，(3)の間以外の位置に配置されている構造とする。
【００２７】
請求項１２の発明では、ケース(10)には室内に開口する第１及び第２開口(61)，(62)が設けられ、４つのダンパ(71)〜(74)による通気モードの切換えにより、第１通気モードでは上記第１又は第２開口(61)，(62)の一方から室内空気を吸い込んで第１開口又は第２開口(61)，(62)の他方から室内へ空気を供給し、第２通気モードでは第１又は第２開口(61)，(62)の他方から室内空気を吸い込んで第１又は第２開口(61)，(62)の一方から室内へ空気を供給するように構成する。このことで、ダンパの数を減らしてコストダウン等を図ることができる。
【００２８】
請求項１３の発明では、給気ファン(45)及び排気ファン(46)は１つの共通のファンモータ(48)に駆動連結されているものとする。こうすると、ファン駆動用のモータの数が１つで済み、コストダウン等を図ることができる。
【００２９】
請求項１４の発明では、ケース(10)における外気吸込口(15)、排気口(16)、給気口(17)及び内気吸込口(18)の少なくとも１つが複数の位置に変更可能に設けられている。このことで、施工時に外気吸込口(15)、排気口(16)、給気口(17)又は内気吸込口(18)は、複数の位置のものの中から１つを選択すればよく、外気吸込口(15)、排気口(16)、給気口(17)又は内気吸込口(18)の位置を施工構造に合わせて容易に変更して、施工性を向上することができる。
【００３０】
請求項１５の発明では、ケース(10)における給気口(17)及び内気吸込口(18)の少なくとも一方に連通する空間に臨むケース(10)壁部にダクトが接続可能に設けられているものとする。このことで、ダクトにより、給気口(17)から室内に吹き出した調湿空気が室内に拡がらずにそのまま内気吸込口(18)に吸い込まれるいわゆるショートサーキットが発生するのを防止でき、室内の調湿効率を高めることができる。
【発明の効果】
【００３１】
以上説明したように、請求項１の発明では、除湿した第１空気又は加湿した第２空気の一方を室内に供給しかつ他方を室外に排出する調湿装置に対し、吸着材を担持した第１及び第２熱交換器が接続されて冷凍サイクルを行うとともに冷媒の循環方向が反転可能な冷媒回路の熱交換器を、ケース内部の空気通路に配置し、第１熱交換器を第１空気が通過して第２熱交換器を第２空気が通過する第１通気モードと、第１熱交換器を第２空気が通過して第２熱交換器を第１空気が通過する第２通気モードとを、冷媒の循環方向に応じて切り換える複数のダンパを設け、室内に給気するための給気ファンは、空気経路における熱交換器の上流側に、また室外に排気するための排気ファンは、空気経路における熱交換器
の下流側にそれぞれ配置した。また、請求項２の発明では、ケースが室内の天井部に露出パネルを室内に露出させるように設置されるカセットタイプのものとした。請求項３の発明では、給気ファン及び排気ファンを、共にファン回転軸線がケースの表裏面と略平行になるように縦向きに配置した。請求項４の発明では、両ファンの一方を、ファン回転軸線がケースの表裏面と略平行になるように縦向きに配置する一方、他方のファンは、ファン回転軸線がケースの表裏面と略直交するように横向きに配置し、請求項５の発明では、給気ファンを横向きに、また請求項６の発明では、逆に、排気ファンを横向きにそれぞれ配置した。請求項８の発明では、各熱交換器はケースの表裏面と略平行となるように横置きに配置した。また、請求項９の発明では、熱交換器はケースの表裏面と略直交するように縦置きに配置した。また、請求項１０の発明では、上記複数のダンパを第１及び第２熱交換器の間に配置した。一方、請求項１１の発明では、複数のダンパを第１及び第２熱交換器の間以外の位置に配置した。これらの発明によれば、いずれのファンもケースの室外側に位置することとなり、各ファンの運転音を室内に漏出し難くして、室内での騒音を低下させることができる。
【００３２】
請求項７の発明によれば、各ファンは、回転軸方向の両側から空気を吸い込む両吸込構造のものとしたことにより、各ファンの外径を小さくして、その分、ケースの表裏面間の寸法を小さくすることができる。
【００３３】
請求項１２の発明によると、ケースに、室内に開口する２つの開口を設け、４つのダンパによる通気モードの切換えにより、一方の通気モードでは一方の開口から室内空気を吸い込んで他方の開口から室内へ空気を供給し、他方の通気モードでは他方の開口から室内空気を吸い込んで一方の開口から室内へ空気を供給するようにしたことにより、ダンパの数を減らしてコストダウン等を図ることができる。
【００３４】
請求項１３の発明によると、給気ファン及び排気ファンは１つの共通のファンモータに駆動連結されているものとしたことにより、ファン駆動用のモータの数が１つで済み、コストダウン等を図ることができる。
【００３５】
請求項１４の発明によれば、ケースにおける外気吸込口及び排気口の少なくとも一方を複数の位置に変更可能に設けたことにより、施工時に外気吸込口又は排気口の複数の位置の中から１つを選択すればよく、外気吸込口又は排気口の位置を施工構造に合わせて容易に変更して、施工性を向上することができる。
【００３６】
請求項１５の発明によれば、ケースにおける給気口及び内気吸込口の少なくとも一方に連通する空間に臨むケース壁部にダクトの接続可能にしたことにより、給気口から室内に吹き出した調湿空気がそのまま内気吸込口に吸い込まれるショートサーキットの発生を防止して、室内の調湿効率を高めることができる。
【発明を実施するための最良の形態】
【００３７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００３８】
（１）実施形態１
図１〜図３は本発明の実施形態１に係る調湿装置(A)を示し、この調湿装置(A)は室内の天井部に取り付けられたカセットタイプのもので、室内空気(RA)の除湿又は加湿による調湿を行う。尚、図１は調湿装置(A)を上側（室内と反対側）から見た水平断面図で、図の
下側が前側を、また上側が後側をそれぞれ示すものとし、以下の説明では「上」、「下」、「前」、「後」、「左」、「右」の用語は調湿装置(A)の上、下、前、後、左、右をそ
れぞれ意味する。
【００３９】
図４は、調湿装置(A)に用いられる冷媒回路(B)を示し、この冷媒回路(B)は、圧縮機(1)、第１熱交換器(2)、第２熱交換器(3)、四方切換弁(4)及び電動膨張弁(5)が設けられた閉回路で構成されて冷媒が充填されている。冷媒回路(B)では、充填された冷媒を循環させ
ることにより蒸気圧縮式の冷凍サイクルが行われる。また、上記四方切換弁(4)の切換え
により、図４（ａ）に示すように、上記第１熱交換器(2)が蒸発器となりかつ第２熱交換
器(3)が凝縮器となる第１冷凍サイクル動作と、図４（ｂ）に示すように、上記第１熱交
換器(2)が凝縮器となりかつ第２熱交換器(3)が蒸発器となる第２冷凍サイクル動作とを交互に繰り返すようになっている。
【００４０】
上記第１及び第２熱交換器(2)，(3)は、いずれも例えば伝熱管と多数のフィンとを備えたいわゆるクロスフィン型のフィン・アンド・チューブ熱交換器で構成されている。また、第１及び第２熱交換器(2)，(3)の外表面には、その概ね全面に亘り、熱交換器(2)，(3)を通過する空気と接触する例えばゼオライト等の吸着材（図示せず）が担持されており、熱交換器(2)，(3)が蒸発器になって冷却されると、通過する空気中の水分を吸着材が吸着して空気を除湿する一方、熱交換器(2)，(3)が凝縮器になって加熱されると、吸着材が吸着していた水分を通過する空気中に放出して、空気を加湿するようになっている。
【００４１】
図１〜図３において、(10)は平面視が概ね正方形状で扁平な箱状のケース(10)で、このケース(10)内には上記第１熱交換器(2)及び第２熱交換器(3)が収納されている。ケース(10)内には両熱交換器(2)，(3)のみが配置され、その他の機器はケース(10)外に配置されて図外の冷媒配管で接続されている。尚、熱交換器(2)，(3)以外の機器を熱交換器(2)，(3)と共にケース(10)内に配置することもできる。
【００４２】
ケース(10)の後壁には右側に外気吸込口(15)が、また左側に排気口(16)がそれぞれ円形筒状の内部に開口され、これら開口には図外のダクトが接続される。また、ケース(10)の下壁部（底壁部）において前側寄りには室内に露出する矩形状の露出パネル(11)が部分的に形成され、この露出パネル(11)（下壁部）には左側端に前後に長い矩形状の給気口(17)が、また右側端に同形状の内気吸込口(18)がそれぞれ開口されている。
【００４３】
さらに、ケース(10)内の空間は、ケース(10)内の略上下中間部をケース(10)の上下壁部と平行に水平方向に延びる横隔壁(12)と、ケース(10)内を上下方向に延びる複数の縦隔壁(13)，(13)，…とにより、第１〜第１０の１０の空間(21)〜(30)に区画されている。尚、以下の説明では、縦隔壁(13)は１つの符号を付け、その区別はケース(10)における位置で行うものとする。また、縦隔壁(13)は、一部のもの（左下縦隔壁及び右下縦隔壁）を除きケース(10)の上壁部から下壁部までの間に亘って一体的に形成されている。
【００４４】
すなわち、上記横隔壁(12)は、ケース(10)の内部において上記ケース(10)下壁部の露出パネル(11)を含む略前半部（図１の略下半部の左右）全体に位置している。この横隔壁(12)が位置する略前半部の左側（図１の左側）には左縦隔壁(13)が、また右側（図１の右側）には右縦隔壁(13)がそれぞれ前後方向（図１の上下方向）に互いに平行に延びるように形成され、左縦隔壁(13)は上記給気口(17)よりも右側（ケース(10)中央側）に、また右縦隔壁(13)は上記内気吸込口(18)よりも左側（ケース(10)中央側）にそれぞれ位置している。これら左右縦隔壁(13)，(13)の前後略中央部間には左右方向に延びる前縦隔壁(13)が左右縦隔壁(13)，(13)同士を接続するように形成されている。また、上記横隔壁(12)の後端（図１で上端）には上記左縦隔壁(13)からケース(10)の右壁までの範囲のみに左右方向に延びる中間縦隔壁(13)が形成されている。さらに、ケース(10)内の略後半部において上記外気吸込口(15)及び排気口(16)間の位置（左右中央）には上記中間縦隔壁(13)からケース(10)後壁まで前後方向に延びる後縦隔壁(13)が形成されている。以上の各縦隔壁(13)はい
ずれもケース(10)の上壁部から下壁部まで横隔壁(12)を通って（交差して）延びている。
【００４５】
また、横隔壁(12)の後端において左縦隔壁(13)の左側（ケース(10)の左右外側）には左下縦隔壁(13)が、また右縦隔壁(13)の右側（ケース(10)の左右外側）には右下縦隔壁(13)がそれぞれ横隔壁(12)からケース(10)下壁部までの範囲だけに亘って形成されている。
【００４６】
そして、以上の隔壁構造により、第１空間(21)は、後側縦隔壁(13)及び中間縦隔壁(13)とケース(10)の後壁、右壁及び上下壁部とにより区画されて、上記外気吸込口(15)に常時連通している。第２空間(22)は、右縦隔壁(13)及び該右縦隔壁(13)よりも右側の横隔壁(12)とケース(10)の上壁部、右壁及び前壁とにより区画されて、上記第１空間(21)に連通している。第３及び第４空間(23)，(24)は、左右縦隔壁(13)，(13)、前縦隔壁(13)及び中間縦隔壁(13)とケース(10)の上壁部又は下壁部とで区画されたもので、第３空間(23)は横隔壁(12)の上側に、また第４空間(24)は横隔壁(12)の下側にそれぞれ上下に対応して形成されている。第５空間(25)は、左縦隔壁(13)及び該左縦隔壁(13)よりも左側の横隔壁(12)とケース(10)の左壁、下壁部及び前壁とで区画されて、上記給気口(17)に常時連通している。
【００４７】
一方、第６空間(26)は上記第２空間(22)の下側に区画されているもので、上記内気吸込口(18)に常時連通している。第７及び第８空間(27)，(28)は、左右の縦隔壁(13)，(13)及び前縦隔壁(13)とケース(10)の前壁、上壁部又は下壁部とで区画されたもので、第７空間(27)は横隔壁(12)の下側に、また第８空間(28)は横隔壁(12)の上側にそれぞれ上下に対応して形成されている。第９空間(29)は、第５空間(25)の上側において、左縦隔壁(13)及び該左縦隔壁(13)よりも左側の横隔壁(12)とケース(10)の左壁及び上壁部とで区画されて、第１０空間(30)に常時連通している。さらに、この第１０空間(30)は上記第１空間(21)と同様のもので、後縦隔壁(13)及び中間縦隔壁(13)とケース(10)の後壁、左壁及び上下壁部により区画されて、上記排気口(16)に常時連通している。
【００４８】
さらに、上記上下に対応して配置された第３空間(23)及び第４空間(24)を区画する横隔壁(12)は部分的に開口され、この開口には上記第１熱交換器(2)が両空間(23)，(24)を連
通するように気密状に嵌合されている。また、同様に上下に対応して配置された第７空間(27)及び第８空間(28)を区画する横隔壁(12)も部分的に開口され、この開口に第２熱交換器(3)が両空間(27)，(28)を連通するように気密状に嵌合されている。よって、両熱交換
器(2)，(3)はケース(10)の表裏面（上下壁部）と略平行となるように横置きに、つまり水平に配置されている。
【００４９】
また、ケース(10)内には上記各空間(21)〜(30)を連通又は連通遮断する８つの揺動タイプのダンパ(31)〜(38)が設けられている。すなわち、上記第２空間(22)及び第３空間(23)を区画する右縦隔壁(13)は部分的に開口されて、この開口には開閉により両空間(22)，(23)を連通又は連通遮断する第１ダンパ(31)が配置されている。また、第４空間(24)及び第６空間(26)を区画する右縦隔壁(13)も部分的に開口されて、この開口に開閉により両空間(24)，(26)を連通又は連通遮断する第２ダンパ(32)が配置されている。
【００５０】
第２空間(22)及び第８空間(28)を区画する右縦隔壁(13)は部分的に開口されて、この開口には開閉により両空間(22)，(28)を連通又は連通遮断する第３ダンパ(33)が配置されている。また、第７空間(27)及び第６空間(26)を区画する右縦隔壁(13)も部分的に開口されて、この開口には開閉により両空間(27)，(26)を連通又は連通遮断する第４ダンパ(34)が配置されている。
【００５１】
また、第９空間(29)及び第３空間(23)を区画する左縦隔壁(13)は部分的に開口されて、この開口には開閉により両空間(29)，(23)を連通又は連通遮断する第５ダンパ(35)が配置
されている。また、第４空間(24)及び第５空間(25)を区画する左縦隔壁(13)も部分的に開口されて、この開口には開閉により両空間(24)，(25)を連通又は連通遮断する第６ダンパ(36)が配置されている。
【００５２】
さらに、第９空間(29)及び第８空間(28)を区画する左縦隔壁(13)は部分的に開口されて、この開口には開閉により両空間(29)，(28)を連通又は連通遮断する第７ダンパ(37)が配置されている。また、第７空間(27)及び第５空間(25)を区画する左縦隔壁(13)も部分的に開口されて、この開口には開閉により両空間(27)，(25)を連通又は連通遮断する第８ダンパ(38)が配置されている。
【００５３】
そして、上記１０の空間(21)〜(30)により、上記外気吸込口(15)及び給気口(17)を接続して室外空気(OA)を室内に供給するための給気経路(41)と、内気吸込口(18)及び排気口(16)を接続して室内空気(RA)を室外に排出するための排気経路(42)とが形成され、８つのダンパ(31)〜(38)の開閉切換えにより、給気経路(41)及び排気経路(42)における第１熱交換器(2)及び第２熱交換器(3)の連通状態を第１及び第２の２つの通気モードに切換変更するようになっている。よって、８つのダンパ(31)〜(38)は第１及び第２熱交換器(2)，(3)の左右両側（両熱交換器(2)，(3)間以外の位置）に配置されている。
【００５４】
すなわち、図５は上記各ダンパ(31)〜(38)を「電気回路のスイッチ」と見倣して給気経路(41)及び排気経路(42)の連通状態の変化を表したものであり（但し、「スイッチＯＮ状態」はダンパ(31)〜(38)が開いたときを、また「スイッチＯＦＦ状態」はダンパ(31)〜(38)が閉じたときをそれぞれ表している）、第１ダンパ(31)、第４ダンパ(34)、第６ダンパ(36)及び第７ダンパ(37)が開き、その他のダンパ(32)，(33)，(35)，(38)が閉じる第１通気モードになったときには、給気経路(41)は外気吸込口(15)から第１空間(21)、第２空間(22)、第１ダンパ(31)、第３空間(23)、第１熱交換器(2)、第４空間(24)、第６ダンパ(36)及び第５空間(25)を経由して給気口(17)に至る経路となる。また、排気経路(42)は内気
吸込口(18)から第６空間(26)、第４ダンパ(34)、第７空間(27)、第２熱交換器(3)、第８
空間(28)、第７ダンパ(37)、第９空間(29)及び第１０空間(30)を経て排気口(16)に至る経路となる。
【００５５】
一方、第２ダンパ(32)、第３ダンパ(33)、第５ダンパ(35)及び第８ダンパ(38)が開き、その他のダンパ(31)，(34)，(36)，(37)が閉じる第２通気モードになったときには、給気経路(41)は外気吸込口(15)から第１空間(21)、第２空間(22)、第３ダンパ(33)、第８空間(28)、第２熱交換器(3)、第７空間(27)、第８ダンパ(38)及び第５空間(25)を経由して給
気口(17)に至る経路となり、排気経路(42)は内気吸込口(18)から第６空間(26)、第２ダンパ(32)、第４空間(24)、第１熱交換器(2)、第３空間(23)、第５ダンパ(35)、第９空間(29)及び第１０空間(30)を経て排気口(16)に至る経路となる。
【００５６】
上記各ダンパ(31)〜(38)の開閉切換え（通気モードの切換え）及び四方切換弁(4)の切
換え（冷媒回路(B)の冷凍サイクル動作の切換え）はいずれも図外のコントローラにより
制御され、通気モードの切換えは、冷媒回路(B)の冷凍サイクル動作の切換えに応じて同
期して行われる。
【００５７】
上記給気経路(41)を構成する第１空間(21)には、室外空気(OA)を調湿して室内に吹き出すための給気ファン(45)が、また排気経路(42)を構成する第１０空間(30)には、室内空気(RA)を室外に排出するための排気ファン(46)がそれぞれ配置され、これらは例えばシロッコファンからなっている。
【００５８】
具体的には、上記給気ファン(45)は給気経路(41)の上流端たる第１空間(21)に、ファン回転軸線がケース(10)の表裏面（上下壁部）と平行に左右方向に延びるように縦向きに配
置されている。この給気ファン(45)は、吸込口(45b)及び吐出口(45c)を有するファンハウジング(45a)と、このファンハウジング(45a)内に収容されたファンロータ(45d)とを有し
、ファンハウジング(45a)は第１空間(21)と第２空間(22)との連通を遮断するように配置
され、その吸込口(45b)は第１空間(21)内に、また吐出口(45c)は第２空間(22)の後端にそれぞれ連通しており、給気ファン(45)により外気吸込口(15)から第１空間(21)に吸い込んだ室外空気(OA)を第２空間(22)に吐出する。つまり、給気ファン(45)は、外気吸込口(15)からの室外空気(OA)を給気ファン(45)下流側の給気経路(41)に向けて吐出するように配置されて押込みファンを構成している。
【００５９】
一方、排気ファン(46)は排気経路(42)の下流端たる第１０空間(30)に、ファン回転軸線がケース(10)の表裏面（上下壁部）と平行に左右方向に延びるように縦向きに配置されている。この排気ファン(46)も給気ファン(45)と同様に、吸込口(46b)及び吐出口(46c)を有するファンハウジング(46a)と、このファンハウジング(46a)内に収容されたファンロータ(46d)とを有し、ファンハウジング(46a)の吐出口(46c)は上記排気口(16)に連通しており
、排気ファン(46)により第１０空間(30)内の室内空気(RA)を排気口(16)に吐出する。つまり、排気ファン(46)は、排気ファン(46)上流側の排気経路(42)の室内空気(RA)を排気口(16)に向けて吐出するように配置されて吸込みファンを構成している。
【００６０】
そして、上記後縦隔壁(13)には、出力軸(48a)（回転軸）の両端をモータ本体から左右
両側に突出させたファンモータ(48)が後縦隔壁(13)を貫通するように取付固定され、このファンモータ(48)の出力軸(48a)の右端部には上記給気ファン(45)が、また左端部には排
気ファン(46)がそれぞれ回転一体に取り付けられている。つまり、給気ファン(45)及び排気ファン(46)は１つの共通のファンモータ(48)に駆動連結され、このファンモータ(48)により同じ方向に回転するようになっている。
【００６１】
次に、上記調湿装置(A)の調湿動作について説明する。この調湿装置(A)では、除湿運転と加湿運転とが切換可能となっている。このような調湿装置(A)の除湿運転中や加湿運転
中は各々の第１動作及び第２動作が交互に繰り返される。
【００６２】
（除湿運転）
除湿運転時において、調湿装置(A)では、給気ファン(45)及び排気ファン(46)が１つの
共通のファンモータ(48)の駆動により運転され、給気ファン(45)の運転により室外空気（OA）をケース(10)内の給気経路(41)に取り込んで除湿した後に供給空気(SA)として室内に供給する一方、室内空気(RA)を排気経路(42)に取り込んで排出空気(EA)として室外に排出する。
【００６３】
まず、除湿運転時の第１動作について説明する。この第１動作では、第１熱交換器(2)
において室外空気（OA）の除湿が行われ、第２熱交換器(3)において吸着材の再生が行わ
れる。
【００６４】
第１動作時に冷媒回路(B)では、四方切換弁(4)が図２（ａ）に示す状態に切り換えられ、この状態で圧縮機(1)を運転すると、冷媒回路(B)で冷媒が循環し、第２熱交換器(3)が
凝縮器となって第１熱交換器(2)が蒸発器となる第１冷凍サイクル動作が行われる。
【００６５】
具体的に、圧縮機(1)から吐出された冷媒は、第２熱交換器(3)で放熱して凝縮し、その後に電動膨張弁(5)へ送られて減圧される。減圧された冷媒は、第１熱交換器(2)で吸熱して蒸発し、その後に圧縮機(1)へ吸入されて圧縮される。そして、圧縮された冷媒は、再
び圧縮機(1)から吐出される。
【００６６】
また、第１動作時に通気モードは第１通気モードとなり、第１ダンパ(31)、第４ダンパ
(34)、第６ダンパ(36)及び第７ダンパ(37)が開き、その他のダンパ(32)，(33)，(35)，(38)が閉じる。このことで、給気経路(41)は外気吸込口(15)から第１空間(21)、第２空間(22)、第１ダンパ(31)、第３空間(23)、第１熱交換器(2)、第４空間(24)、第６ダンパ(36)
及び第５空間(25)を経由して給気口(17)に至る経路となり、排気経路(42)は内気吸込口(18)から第６空間(26)、第４ダンパ(34)、第７空間(27)、第２熱交換器(3)、第８空間(28)
、第７ダンパ(37)、第９空間(29)及び第１０空間(30)を経て排気口(16)に至る経路となる。
【００６７】
そして、給気ファン(45)の作動により、外気吸込口(15)から吸い込まれた室外空気(OA)が給気経路(41)を経て流れ、その途中で上記蒸発器となっている第１熱交換器(2)に送り
込まれる。この第１熱交換器(2)では、その表面に担持された吸着材に室外空気(OA)中の
水分が吸着され、室外空気(OA)が調湿される。その際に生じる吸着熱は冷媒が吸熱する。第１熱交換器(2)で除湿された調湿空気は、その後、給気口(17)から供給空気（SA）とし
て室内へ供給される。
【００６８】
また同時に、排気ファン(46)の作動により、内気吸込口(18)より流入した室内空気(RA)は排気経路(42)を流れて、その途中の第２熱交換器(3)へ送り込まれる。この第２熱交換
器(3)では、外表面に担持された吸着材が冷媒により加熱され、この吸着材から水分が脱
離する。吸着材から脱離した水分は、第２熱交換器(3)を通過する室内空気(RA)に付与さ
れる。第２熱交換器(3)で水分を付与された空気は、その後、排気ファン(46)へ吸い込ま
れ、排気口(16)から排出空気（EA）として室外へ排出される。
【００６９】
次に、除湿運転時の第２動作について説明する。この第２動作では、第２熱交換器(3)
において室外空気（OA）の除湿が行われ、第１熱交換器(2)において吸着材の再生が行わ
れる。
【００７０】
第２動作時に冷媒回路(B)では、四方切換弁(4)が図２（ｂ）に示す状態に切り換えられ、この状態で圧縮機(1)を運転すると、冷媒回路(B)で冷媒が循環し、第１熱交換器(2)が
凝縮器となって第２熱交換器(3)が蒸発器となる第２冷凍サイクル動作が行われる。
【００７１】
具体的に、圧縮機(1)から吐出された冷媒は、第１熱交換器(2)で放熱して凝縮し、その後に電動膨張弁(5)へ送られて減圧される。減圧された冷媒は、第２熱交換器(3)で吸熱して蒸発し、その後に圧縮機(1)へ吸入されて圧縮される。そして、圧縮された冷媒は、再
び圧縮機(1)から吐出される。
【００７２】
また、第２動作時には通気モードが第２通気モードとなり、第２ダンパ(32)、第３ダンパ(33)、第５ダンパ(35)及び第８ダンパ(38)が開き、その他のダンパ(31)，(34)，(36)，(37)が閉じる。このことで、給気経路(41)は外気吸込口(15)から第１空間(21)、第２空間(22)、第３ダンパ(33)、第８空間(28)、第２熱交換器(3)、第７空間(27)、第８ダンパ(38)及び第５空間(25)を経由して給気口(17)に至る経路となり、排気経路(42)は内気吸込口(18)から第６空間(26)、第２ダンパ(32)、第４空間(24)、第１熱交換器(2)、第３空間(23)、第５ダンパ(35)、第９空間(29)及び第１０空間(30)を経て排気口(16)に至る経路となる。
【００７３】
そして、給気ファン(45)の作動により、外気吸込口(15)から吸い込まれた室外空気(OA)が給気経路(41)を経て流れ、その途中で上記蒸発器となっている第２熱交換器(3)に送り
込まれる。この第２熱交換器(3)では、その表面に担持された吸着材に室外空気(OA)中の
水分が吸着され、室外空気(OA)が調湿される。その際に生じる吸着熱は冷媒が吸熱する。第２熱交換器(3)で除湿された調湿空気は、その後、給気口(17)から供給空気（SA）とし
て室内へ供給される。
【００７４】
また同時に、排気ファン(46)の作動により、内気吸込口(18)より流入した室内空気(RA)は排気経路(42)を流れて、その途中の第１熱交換器(2)へ送り込まれる。この第１熱交換
器(2)では、外表面に担持された吸着材が冷媒により加熱され、この吸着材から水分が脱
離する。吸着材から脱離した水分は、第１熱交換器(2)を通過する室内空気(RA)に付与さ
れる。第１熱交換器(2)で水分を付与された空気は、その後、排気ファン(46)へ吸い込ま
れ、排気口(16)から排出空気（EA）として室外へ排出される。
【００７５】
（加湿運転）
加湿運転時において、調湿装置(A)では、給気ファン(45)及び排気ファン(46)が共通の
ファンモータ(48)に駆動されて運転され、室内空気(RA)を排気経路(42)に取り込んで排出空気(EA)として室外に排出する一方、室外空気(OA)を給気経路(41)に取り込んで加湿した後に供給空気(SA)として室内に供給する。
【００７６】
まず、加湿運転時の第１動作について説明する。この第１動作では、第２熱交換器(3)
において室外空気（OA）の加湿が行われ、第１熱交換器(2)において室内空気（RA）から
水分の回収が行われる。
【００７７】
第１動作時において、冷媒回路(B)では、四方切換弁(4)が図２（ａ）に示す状態に切り換えられ、圧縮機(1)の運転により、冷媒回路(B)で冷媒が循環し、第２熱交換器(3)が凝
縮器となって第１熱交換器(2)が蒸発器となる第１冷凍サイクル動作が行われる。
【００７８】
また、第１動作時には通気モードが第２通気モードとなり、第２ダンパ(32)、第３ダンパ(33)、第５ダンパ(35)及び第８ダンパ(38)が開き、その他のダンパ(31)，(34)，(36)，(37)が閉じる。このことで、給気経路(41)は外気吸込口(15)から第１空間(21)、第２空間(22)、第３ダンパ(33)、第８空間(28)、第２熱交換器(3)、第７空間(27)、第８ダンパ(38)及び第５空間(25)を経由して給気口(17)に至る経路となり、排気経路(42)は内気吸込口(18)から第６空間(26)、第２ダンパ(32)、第４空間(24)、第１熱交換器(2)、第３空間(23)、第５ダンパ(35)、第９空間(29)及び第１０空間(30)を経て排気口(16)に至る経路となる。
【００７９】
そして、給気ファン(45)の作動により、外気吸込口(15)から吸い込まれた室外空気(OA)が給気経路(41)を経て流れ、その途中で上記凝縮器となっている第２熱交換器(3)に送り
込まれる。この第２熱交換器(3)では、外表面に担持された吸着材が冷媒により加熱され
、この吸着材から水分が脱離する。吸着材から脱離した水分は、第２熱交換器(3)を通過
する室外空気(OA)に付与される。第２熱交換器(3)で水分を付与された空気は、その後、
給気口(17)から供給空気（SA）として室内へ供給される。
【００８０】
また同時に、排気ファン(46)の作動により、内気吸込口(18)より流入した室内空気(RA)は排気経路(42)を流れて、その途中の第１熱交換器(2)へ送り込まれる。この第１熱交換
器(2)では、その表面に担持された吸着材に室外空気(OA)中の水分が吸着される。その際
に生じる吸着熱は冷媒が吸熱する。第１熱交換器(2)で除湿された空気は、その後、排気
ファン(46)へ吸い込まれ、排気口(16)から排出空気（EA）として室外へ排出される。
【００８１】
次に、加湿運転時の第２動作では、第１熱交換器(2)において室外空気（OA）の加湿が
行われ、第２熱交換器(3)において吸着材の再生が行われる。
【００８２】
第２動作時において、冷媒回路(B)では、四方切換弁(4)が図２（ｂ）に示す状態に切り換えられ、圧縮機(1)の運転により、冷媒回路(B)で冷媒が循環し、第１熱交換器(2)が凝
縮器となって第２熱交換器(3)が蒸発器となる第２冷凍サイクル動作が行われる。
【００８３】
また、第２動作時には通気モードが第１通気モードとなり、第１ダンパ(31)、第４ダンパ(34)、第６ダンパ(36)及び第７ダンパ(37)が開き、その他のダンパ(32)，(33)，(35)，(38)が閉じる。このことで、給気経路(41)は外気吸込口(15)から第１空間(21)、第２空間(22)、第１ダンパ(31)、第３空間(23)、第１熱交換器(2)、第４空間(24)、第６ダンパ(36)及び第５空間(25)を経由して給気口(17)に至る経路となり、排気経路(42)は内気吸込口(18)から第６空間(26)、第４ダンパ(34)、第７空間(27)、第２熱交換器(3)、第８空間(28)、第７ダンパ(37)、第９空間(29)及び第１０空間(30)を経て排気口(16)に至る経路となる。
【００８４】
そして、給気ファン(45)の作動により、外気吸込口(15)から吸い込まれた室外空気(OA)が給気経路(41)を経て流れ、その途中で上記凝縮器となっている第１熱交換器(2)に送り
込まれる。この第１熱交換器(2)では、外表面に担持された吸着材が冷媒により加熱され
、この吸着材から水分が脱離する。吸着材から脱離した水分は、第１熱交換器(2)を通過
する室外空気(OA)に付与される。第１熱交換器(2)で水分を付与されて加湿された空気は
、その後、給気口(17)から供給空気（SA）として室内へ供給される。
【００８５】
また同時に、排気ファン(46)の作動により、内気吸込口(18)より流入した室内空気(RA)は排気経路(42)を流れて、その途中の第２熱交換器(3)へ送り込まれる。この第２熱交換
器(3)では、その表面に担持された吸着材に室外空気(OA)中の水分が吸着される。その際
に生じる吸着熱は冷媒が吸熱する。第２熱交換器(3)で除湿された空気は、その後、排気
ファン(46)へ吸い込まれ、排気口(16)から排出空気（EA）として室外へ排出される。
【００８６】
したがって、この実施形態においては、上記給気ファン(45)が給気経路(41)の上流端に、外気吸込口(15)からの室外空気(OA)を給気ファン(45)下流側の給気経路(41)に向けて吐出するように配置されて押込みファンを構成し、一方、排気ファン(46)は排気経路(42)の下流端に、排気ファン(46)上流側の排気経路(42)の室内空気(RA)を排気口(16)に向けて吐出するように配置されて吸込みファンを構成しているので、給気ファン(45)は給気経路(41)において室外側に、また排気ファン(46)も排気経路(42)において室外側にそれぞれ位置することとなる。このため、上記のような室内に対する調湿時に、給気経路(41)において室外空気(OA)が調湿されて給気口(17)から室内に吹き出され、また排気経路(42)において室内空気(RA)が排気口(16)から室外に吹き出される際、その各ファン(45)，(46)の運転音が室内に漏出し難くなり、仮に、上記給気ファン(45)を給気経路(41)の下流端に配置して吸込みファンとしかつ排気ファン(46)を排気経路(42)の上流端に配置して押込みファンとする場合に比べ、室内での騒音を大きく低下させることができる。
【００８７】
加えて、給気ファン(45)及び排気ファン(46)は１つの共通のファンモータ(48)に駆動連結されていることから、ファンモータ(48)の数が１つで済み、コストダウン等を図ることができる。
【００８８】
尚、この実施形態においては、ケース(10)の左側に給気口(17)を、また右側に内気吸込口(18)をそれぞれ開口しているが、各ダンパの開閉切換えパターンを変えることで、これらの位置を逆転して、右側に給気口(17)を、また左側に内気吸込口(18)をそれぞれ開口するように変更してもよい。
【００８９】
（２）実施形態２
図６は本発明の実施形態２を示し、給気ファン(45)及び排気ファン(46)の構造を変えたものである。
【００９０】
この実施形態２では、給気ファン(45)及び排気ファン(46)はいずれも、回転軸方向の両
側から空気を吸い込む両吸込構造のものとされている。すなわち、各ファン(45)，(46)のファンハウジング(45a)，(46a)には軸方向に対向する左右両側に位置する２つの吸込み口(45b)，(45b)，(46b)，(46b)が開口されており、これら両吸込み口(45b)，(45b)，(46b)
，(46b)からファンハウジング(45a)，(46a)内に吸い込んだ空気を１つの吐出口(45c)，(46c)に集合させて吐出するようになっている。その他の構成は上記実施形態１と同様であ
り、図１〜図５と同じ部分については同じ符号を付してその詳細な説明は省略する。
【００９１】
したがって、この実施形態では、実施形態１と同様の作用効果が得られる。また、給気ファン(45)及び排気ファン(46)が両吸込み構造のものであるので、その各々の外径を小さくでき、その分、ケース(10)の表裏面間の高さ寸法を小さくすることができる。
【００９２】
（３）実施形態３
図７及び図８は実施形態３を示し、ダンパ数を少なくしたものである。すなわち、この実施形態では、ケース(10)内に第１〜第８の８つの空間(51)〜(58)が区画されている。第１空間(51)は実施形態１の第１空間(31)と同様のもので、後縦隔壁(13)及び中間縦隔壁(13)とケース(10)の後壁、右壁及び上下壁部とにより区画されて、上記外気吸込口(15)に常時連通している。第８空間(58)は上記実施形態１の第１０空間(30)と同様のもので、後縦隔壁(13)及び中間縦隔壁(13)とケース(10)の後壁、左壁及び上下壁部とにより区画されている。
【００９３】
ケース(10)内における横隔壁(12)は左右縦隔壁(13)，(13)間のみに設けられ、左縦隔壁(13)の左側及び右縦隔壁(13)の右側は横隔壁(12)のない部分とされ、右縦隔壁(13)とケース(10)の上壁部、右壁及び前壁とにより第２空間(52)が、また左縦隔壁(13)とケース(10)の上壁部、左壁及び前壁とにより第７空間(57)がそれぞれ区画されている。
【００９４】
第３空間(53)は実施形態１の第３空間(23)と、また第４空間(54)は実施形態１の第４空間(24)とそれぞれ同じである。また、第６空間(56)は実施形態１の第８空間(28)と、また第５空間(55)は実施形態１の第７空間(27)とそれぞれ同じである。
【００９５】
さらに、ケース(10)の下壁部において上記第４空間(54)の下側には室内に開口する第１開口(61)が、また第５空間(55)の下側には室内に開口する第２開口(62)がそれぞれ開口され、第１開口(61)は第４空間(54)と室内とを常時連通し、第２開口(62)は第５空間(55)と室内とを常時連通している。
【００９６】
また、ケース(10)内には各空間(51)〜(58)を連通又は連通遮断する４つの揺動タイプのダンパ(71)〜(74)が設けられている（この各ダンパ(71)〜(74)の構造は実施形態１のものと同じである）。すなわち、第２空間(52)と第３空間(53)との間に第１ダンパ(71)が、また第２空間(52)と第６空間(56)との間に第２ダンパ(72)が、さらに第７空間(57)と第３空間(53)との間に第４ダンパ(74)が、また第７空間(57)と第６空間(56)との間に第３ダンパ(73)がそれぞれ設けられている。
【００９７】
そして、上記８つの空間(51)〜(58)により、上記外気吸込口(15)と第１開口(61)又は第２開口(62)の一方（給気口(17)）とを接続して室外空気(OA)を室内に供給するための給気経路(41)と、第１開口(61)又は第２開口(62)の他方（内気吸込口(18)）と排気口(16)とを接続して室内空気(RA)を室外に排出するための排気経路(42)とが形成され、４つのダンパ(71)〜(74)の開閉切換えにより給気経路(41)及び排気経路(42)における第１熱交換器(2)
及び第２熱交換器(3)の連通状態を２つの通気モードに切換変更するようになっている。
【００９８】
すなわち、図８は上記各ダンパ(71)〜(74)を「電気回路のスイッチ」と見倣して給気経路(41)及び排気経路(42)を表したものであり、第１ダンパ(71)及び第３ダンパ(73)が開き
、第２ダンパ(72)及び第４ダンパ(74)が閉じる第１通気モードになったときには、給気経路(41)は外気吸込口(15)から第１空間(51)、第２空間(52)、第１ダンパ(71)、第３空間(53)、第１熱交換器(2)及び第４空間(54)を経由して、給気口をなす第１開口(61)に至る経
路となり、排気経路(42)は内気吸込口をなす第２開口(62)から第５空間(55)、第２熱交換器(3)、第６空間(56)、第３ダンパ(73)、第７空間(57)及び第８空間(58)を経て排気口(16)に至る経路となる。
【００９９】
一方、第２ダンパ(72)及び第４ダンパ(74)が開き、第１ダンパ(71)及び第３ダンパ(73)が閉じる第２通気モードになったときには、給気経路(41)は外気吸込口(15)から第１空間(51)、第２空間(52)、第２ダンパ(72)、第６空間(56)、第２熱交換器(3)及び第５空間(55)を経由して、給気口をなす第２開口(62)に至る経路となり、排気経路(42)は内気吸込口
をなす第１開口(61)から第４空間(54)、第１熱交換器(2)、第３空間(53)、第４ダンパ(74)、第７空間(57)及び第８空間(58)を経て排気口(16)に至る経路となる。よって、４つの
ダンパ(71)〜(74)による通気モードの切換えにより、第１通気モードではケース(10)下壁部の第１開口(61)が給気口(17)になりかつ第２開口(62)が内気吸込口(18)になる一方、第２通気モードでは第１開口(61)が内気吸込口(18)になりかつ第２開口(62)が給気口(17)になるように構成されている。その他の構成は実施形態１と同様である（図１参照）。
【０１００】
次に、この実施形態３における調湿装置(A)の調湿動作について説明する。この調湿装
置(A)では、除湿運転と加湿運転とが切換可能となっている。このような調湿装置(A)の除湿運転中や加湿運転中は各々の第１動作及び第２動作が交互に繰り返される。
【０１０１】
（除湿運転）
除湿運転時において、調湿装置(A)では、給気ファン(45)及び排気ファン(46)が運転さ
れ、室外空気(OA)をケース(10)内の給気経路(41)に取り込んで除湿した後に室内に供給する一方、室内空気(RA)を排気経路(42)に取り込んで室外に排出する。
【０１０２】
除湿運転時の第１動作では、第１熱交換器(2)において室外空気(OA)の除湿が行われ、
第２熱交換器(3)において吸着材の再生が行われる。
【０１０３】
第１動作時において、冷媒回路(B)では、第２熱交換器(3)が凝縮器となって第１熱交換器(2)が蒸発器となる第１冷凍サイクル動作が行われる（図２（ａ）参照）。
【０１０４】
また、第１動作時に通気モードは第１通気モードとなり、第１ダンパ(71)及び第３ダンパ(73)が開き、第２ダンパ(72)及び第４ダンパ(74)が閉じる。このことで、給気経路(41)は外気吸込口(15)から第１空間(51)、第２空間(52)、第１ダンパ(71)、第３空間(53)、第１熱交換器(2)及び第４空間(54)を経由して第１開口(61)（給気口(17)）に至る経路とな
り、排気経路(42)は第２開口(62)（内気吸込口(18)）から第５空間(55)、第２熱交換器(3)、第６空間(56)、第３ダンパ(73)、第７空間(57)及び第８空間(58)を経て排気口(16)に
至る経路となる。
【０１０５】
そして、給気ファン(45)の作動により、外気吸込口(15)から吸い込まれた室外空気(OA)が給気経路(41)を経て流れ、その途中で上記蒸発器となっている第１熱交換器(2)に送り
込まれて除湿され、その後、第１開口(61)（給気口(17)）から供給空気（SA）として室内へ供給される。
【０１０６】
また同時に、排気ファン(46)の作動により、第２開口(62)（内気吸込口(18)）より流入した室内空気(RA)は排気経路(42)を流れて、その途中の第２熱交換器(3)へ送り込まれ、
この第２熱交換器(3)で水分を付与された後、排気ファン(46)へ吸い込まれ、排気口(16)
から排出空気（EA）として室外へ排出される。
【０１０７】
除湿運転時の第２動作では、第２熱交換器(3)において室外空気(OA)の除湿が行われ、
第１熱交換器(2)において吸着材の再生が行われる。
【０１０８】
第２動作時の冷媒回路(B)では、第１熱交換器(2)が凝縮器となって第２熱交換器(3)が
蒸発器となる第２冷凍サイクル動作が行われる（図２（ｂ）参照）。
【０１０９】
また、第２動作時には通気モードが第２通気モードとなり、第２ダンパ(72)及び第４ダンパ(74)が開き、第１ダンパ(71)及び第３ダンパ(73)が閉じる。このことで、給気経路(41)は外気吸込口(15)から第１空間(51)、第２空間(52)、第２ダンパ(72)、第６空間(56)、第２熱交換器(3)及び第５空間(55)を経由して第２開口(62)（給気口(17)）に至る経路と
なり、排気経路(42)は第１開口(61)（内気吸込口(18)）から第４空間(54)、第１熱交換器(2)、第３空間(53)、第４ダンパ(74)、第７空間(57)及び第８空間(58)を経て排気口(16)
に至る経路となる。
【０１１０】
そして、給気ファン(45)の作動により、外気吸込口(15)から吸い込まれた室外空気(OA)が給気経路(41)を経て流れ、その途中で上記蒸発器となっている第２熱交換器(3)に送り
込まれ、この第２熱交換器(3)で除湿された後、第２開口(62)（給気口(17)）から供給空
気（SA）として室内へ供給される。
【０１１１】
また同時に、排気ファン(46)の作動により、第１開口(61)（内気吸込口(18)）より流入した室内空気(RA)は排気経路(42)を流れて、その途中の第２熱交換器(3)へ送り込まれ、
この第１熱交換器(2)で加湿された後、排気ファン(46)へ吸い込まれ、排気口(16)から排
出空気（EA）として室外へ排出される。
【０１１２】
（加湿運転）
加湿運転時において、調湿装置(A)では、給気ファン(45)及び排気ファン(46)が運転さ
れ、室内空気(RA)を排気経路(42)に取り込んで室外に排出する一方、室外空気(OA)を給気経路(41)に取り込んで加湿した後に室内に供給する。
【０１１３】
加湿運転時の第１動作では、第２熱交換器(3)において室外空気(OA)の加湿が行われ、
第１熱交換器(2)において室内空気(RA)から水分の回収が行われる。
【０１１４】
第１動作時において、冷媒回路(B)では、第２熱交換器(3)が凝縮器となって第１熱交換器(2)が蒸発器となる第１冷凍サイクル動作が行われる。
【０１１５】
また、第１動作時には通気モードが第２通気モードとなり、第２ダンパ(72)及び第４ダンパ(74)が開き、第１ダンパ(71)及び第３ダンパ(73)が閉じる。このことで、給気経路(41)は外気吸込口(15)から第１空間(51)、第２空間(52)、第２ダンパ(72)、第６空間(56)、第２熱交換器(3)及び第５空間(55)を経由して第２開口(62)（給気口(17)）に至る経路と
なり、排気経路(42)は第１開口(61)（内気吸込口(18)）から第４空間(54)、第１熱交換器(2)、第３空間(53)、第４ダンパ(74)、第７空間(57)及び第８空間(58)を経て排気口(16)
に至る経路となる。
【０１１６】
そして、給気ファン(45)の作動により、外気吸込口(15)から吸い込まれた室外空気(OA)が給気経路(41)を経て流れ、その途中で上記凝縮器となっている第２熱交換器(3)に送り
込まれ、この第２熱交換器(3)で加湿された後、第２開口(62)（給気口(17)）から供給空
気（SA）として室内へ供給される。
【０１１７】
また同時に、排気ファン(46)の作動により、第１開口(61)（内気吸込口(18)）より流入
した室内空気(RA)は排気経路(42)を流れて、その途中の第１熱交換器(2)へ送り込まれ、
この第１熱交換器(2)で除湿された後、排気ファン(46)へ吸い込まれ、排気口(16)から排
出空気（EA）として室外へ排出される。
【０１１８】
加湿運転時の第２動作では、第１熱交換器(2)において室外空気(OA)の加湿が行われ、
第２熱交換器(3)において吸着材の再生が行われる。
【０１１９】
第２動作時において、冷媒回路(B)では、第１熱交換器(2)が凝縮器となって第２熱交換器(3)が蒸発器となる第２冷凍サイクル動作が行われる（図２（ｂ）参照）。
【０１２０】
また、第２動作時には通気モードが第１通気モードとなり、第１ダンパ(71)及び第３ダンパ(73)が開き、第２ダンパ(72)及び第４ダンパ(74)が閉じる。このことで、給気経路(41)は外気吸込口(15)から第１空間(51)、第２空間(52)、第１ダンパ(71)、第３空間(53)、第１熱交換器(2)及び第４空間(54)を経由して第１開口(61)（給気口(17)）に至る経路と
なり、排気経路(42)は第２開口(62)（内気吸込口(18)）から第５空間(55)、第２熱交換器(3)、第６空間(56)、第３ダンパ(73)、第７空間(57)及び第８空間(58)を経て排気口(16)
に至る経路となる。
【０１２１】
そして、給気ファン(45)の作動により、外気吸込口(15)から吸い込まれた室外空気(OA)が給気経路(41)を経て流れ、その途中で上記凝縮器となっている第１熱交換器(2)に送り
込まれ、この第１熱交換器(2)で加湿された後、第１開口(61)（給気口(17)）から供給空
気（SA）として室内へ供給される。
【０１２２】
また同時に、排気ファン(46)の作動により、第２開口(62)（内気吸込口(18)）より流入した室内空気(RA)は排気経路(42)を流れて、その途中の第２熱交換器(3)へ送り込まれ、
この第２熱交換器(3)で除湿された後、排気ファン(46)へ吸い込まれ、排気口(16)から排
出空気（EA）として室外へ排出される。
【０１２３】
したがって、この実施形態においても、上記実施形態１と同様の作用効果を奏することができる。また、実施形態１に比べ、ダンパの数を４つに減らすことができ、コストダウンや構造の簡略化等を図ることができる。
【０１２４】
（４）実施形態４
図９は実施形態４を示し（尚、以下の各実施形態では、図７と同じ部分については同じ符号を付してその詳細な説明は省略する）、ダンパの数を４枚とした上で、空間及び排気ファン(46)のレイアウトを変えたものである。
【０１２５】
この実施形態では、ケース(10)内に７つの空間(51)〜(57)が区画され、４つのダンパ(71)〜(74)が配置されている。すなわち、ケース(10)内には、左右方向に平行に延びる前後２つの縦隔壁(13)，(13)と、前後方向に平行に延びる左右２つの縦隔壁(13)，(13)とが配置されている。後側の縦隔壁(13)の左端は左側の縦隔壁(13)の中間部に、また前側の縦隔壁(13)の右端は右側の縦隔壁(13)の中間部に、さらに左側の縦隔壁(13)の前端は前側の縦隔壁(13)の中間部に、また右側の縦隔壁(13)の後端は後側の縦隔壁(13)の中間部にそれぞれ連続していて、これら縦隔壁(13)間に矩形状の第２空間(52)が形成され、左縦隔壁(13)と後縦隔壁(13)との間に第１空間(51)が、また右縦隔壁(13)と前縦隔壁(13)との間に第７空間(57)がそれぞれ区画され、第１空間(51)は後縦隔壁(13)の連通路（図示せず）により第２空間(52)と常時連通されている。また、後縦隔壁(13)と右縦隔壁(13)とで区画される部分に横隔壁(12)が形成され、この横隔壁(12)により上側の第３空間(53)と下側の第４空間(54)とが区画されている。さらに、前縦隔壁(13)と左縦隔壁(13)とで区画される部分にも横隔壁(12)が形成され、この横隔壁(12)により上側の第５空間(55)と下側の第６空間(5
6)とが区画されている。
【０１２６】
また、実施形態３と同様に、ケース(10)の下壁部において上記第４空間(54)の下側には室内に開口する第１開口(61)が、また第５空間(55)の下側には室内に開口する第２開口(62)がそれぞれ開口され、第１開口(61)は第４空間(54)と室内とを常時連通し、第２開口(62)は第５空間(55)と室内とを常時連通している。
【０１２７】
さらに、上記第２空間(52)と第３空間(53)との間に第１ダンパ(71)が、また第３空間(53)と第７空間(57)との間に第４ダンパ(74)が、さらに第２空間(52)と第６空間(56)との間に第２ダンパ(72)が、さらに第６空間(56)と第７空間(57)との間に第３ダンパ(73)がそれぞれ配置されている。よって、４つのダンパ(71)〜(74)のうちの第１及び第２の２つのダンパ(71)，(72)が第１及び第２熱交換器(2)，(3)の間に配置されている。
【０１２８】
また、給気ファン(45)及び排気ファン(46)は各々個別のファンモータ(48)，(48)に駆動連結され、給気ファン(45)は、上記各実施形態と同様に、第１空間(51)にファン回転軸線がケース(10)の表裏面と平行に左右方向に延びるように縦向きに配置されている。一方、排気ファン(46)は、各実施形態とは異なり、ファン回転軸線がケース(10)の表裏面と略直交するように横向きに配置されている。
【０１２９】
そして、第１ダンパ(71)及び第３ダンパ(73)が開き、第２ダンパ(72)及び第４ダンパ(74)が閉じる第１通気モードになったときには、給気経路(41)は外気吸込口(15)から第１空間(51)、第２空間(52)、第１ダンパ(71)、第３空間(53)、第１熱交換器(2)及び第４空間(54)を経由して、給気口(17)をなす第１開口(61)に至る経路となり、排気経路(42)は内気
吸込口(18)をなす第２開口(62)から第５空間(55)、第２熱交換器(3)、第６空間(56)、第
３ダンパ(73)及び第７空間(57)を経て排気口(16)に至る経路となる。
【０１３０】
一方、第２ダンパ(72)及び第４ダンパ(74)が開き、第１ダンパ(71)及び第３ダンパ(73)が閉じる第２通気モードになったときには、給気経路(41)は外気吸込口(15)から第１空間(51)、第２空間(52)、第２ダンパ(72)、第６空間(56)、第２熱交換器(3)及び第５空間(55)を経由して、給気口(17)をなす第２開口(62)に至る経路となり、排気経路(42)は内気吸
込口(18)をなす第１開口(61)から第４空間(54)、第１熱交換器(2)、第３空間(53)、第４
ダンパ(74)及び第７空間(57)を経て排気口(16)に至る経路となる。よって、この実施形態でも、４つのダンパ(71)〜(74)による通気モードの切換えにより、第１通気モードではケース(10)下壁部の第１開口(61)が給気口(17)になりかつ第２開口(62)が内気吸込口(18)になる一方、第２通気モードでは第１開口(61)が内気吸込口(18)になりかつ第２開口(62)が給気口(17)になるように構成されている。その他の構成は実施形態３と同様である（図７参照）。
【０１３１】
また、ケース(10)の後壁及び右壁後部にはそれぞれ第１空間(51)（給気経路(41)）に連通する２つの外気吸込口(15)，(15)が形成され、この２つの外気吸込口(15)，(15)の一方又は両方は例えば蓋部等（図示せず）により常時は閉塞されており、調湿装置(A)の施工
時にこれらの一方を選択して開口することで、外気吸込口(15)を２つの位置に変更可能としている。
【０１３２】
尚、その他の構成、室外空気(OA)に対する調湿、室内空気(RA)の排気は実施形態３と同じであるので、その詳細な説明は省略する（実施形態３参照）。
【０１３３】
したがって、この実施形態においても、実施形態３と同様の作用効果を奏することができる。また、この実施形態では、ケース(10)の後壁及び右壁後部にそれぞれ外気吸込口(15)，(15)が形成されているので、施工時にいずれか一方の外気吸込口(15)を選択して開口
すれば、外気吸込口(15)の位置を施工構造に合わせて容易に変更して、施工性を向上することができる。
【０１３４】
尚、この実施形態では、外気吸込口(15)の位置を変更可能としているが、外気吸込口(15)だけでなく排気口(16)を複数の位置に変更可能にしてもよく、少なくとも一方が複数の位置に変更可能に設けられていればよい。
【０１３５】
また、この実施形態では、排気ファン(46)を横向きに配置しているが、給気ファン(45)を横向きに配置してもよい。
【０１３６】
（５）実施形態５
図１０は実施形態５を示す。この実施形態では、給気ファン(45)及び排気ファン(46)をいずれも実施形態１と同様にファン回転軸線がケース(10)の表裏面と略平行になるように縦向きに配置する一方、両熱交換器(2)，(3)をケース(10)の表裏面と略直交するように垂直に配置したものである。
【０１３７】
すなわち、この実施形態ではケース(10)内に８つの空間(51)〜(58)が区画されている。ケース(10)内には、略コ字状に折れ曲がった２つの縦隔壁(13)，(13)と、該両隔壁(13)，(13)を接続する左右方向に延びる１つの隔壁(13)とがケース(10)の上下壁部を接続するように形成され、これら３つの隔壁(13)，(13)，…により、ケース(10)内が、ケース(10)後側に位置する第１空間(51)と、前側に位置する第８空間(58)と、ケース(10)の中央前側に位置する第３空間(53)と、中央後側に位置する第７空間(57)とに区画されている。また、右側に位置する空間には第１熱交換器(2)が、また左側に位置する空間には第２熱交換器(3)がそれぞれケース(10)の表裏面と略直交するように縦置きつまり垂直に配置され、この各熱交換器(2)，(3)により右側空間が左側の第３空間(53)及び右側の第４空間(54)に、また左側空間が右側の第５空間(55)及び左側の第６空間(56)にそれぞれ２分割されている。また、第４空間(54)下側のケース(10)下壁部に第１開口(61)が、また第６空間(56)の下側のケース(10)下壁部に第２開口(62)がそれぞれ開口されている。
【０１３８】
また、上記第２空間(52)と第３空間(53)との間に第１ダンパ(71)が、また第３空間(53)と第７空間(57)との間に第４ダンパ(74)が、また第２空間(52)と第５空間(55)との間に第２ダンパ(72)が、さらに第７空間(57)と第５空間(55)との間に第３ダンパ(73)がそれぞれ設けられている。よって、４つのダンパ(71)〜(74)が第１及び第２熱交換器(2)，(3)の間に配置されている。
【０１３９】
そして、第１ダンパ(71)及び第３ダンパ(73)が開き、第２ダンパ(72)及び第４ダンパ(74)が閉じる第１通気モードになったときには、給気経路(41)は外気吸込口(15)から第１空間(51)、第２空間(52)、第１ダンパ(71)、第３空間(53)、第１熱交換器(2)及び第４空間(54)を経由して、給気口(17)をなす第１開口(61)に至る経路となり、排気経路(42)は内気
吸込口(18)をなす第２開口(62)から第６空間(56)、第２熱交換器(3)、第５空間(55)、第
３ダンパ(73)、第７空間(57)及び第８空間(58)を経て排気口(16)に至る経路となる。
【０１４０】
一方、第２ダンパ(72)及び第４ダンパ(74)が開き、第１ダンパ(71)及び第３ダンパ(73)が閉じる第２通気モードになったときには、給気経路(41)は外気吸込口(15)から第１空間(51)、第２空間(52)、第２ダンパ(72)、第５空間(55)、第２熱交換器(3)及び第６空間(56)を経由して、給気口(17)をなす第２開口(62)に至る経路となり、排気経路(42)は内気吸
込口(18)をなす第１開口(61)から第４空間(54)、第１熱交換器(2)、第３空間(53)、第４
ダンパ(74)、第７空間(57)及び第８空間(58)を経て排気口(16)に至る経路となる。よって、４つのダンパによる通気モードの切換えにより、第１通気モードではケース(10)下壁部の第１開口(61)が給気口(17)になりかつ第２開口(62)が内気吸込口(18)になる一方、第２
通気モードでは第１開口(61)が内気吸込口(18)になりかつ第２開口(62)が給気口(17)になるように構成されている。
【０１４１】
そして、上記第１空間(51)には給気ファン(45)が吸込口(45b)をケース(10)の第１空間(51)に、また吐出口(45c)を第２空間(52)にそれぞれ連通させるように配置されている。また、第８空間(58)には排気ファン(46)が吸込口(46b)を第７空間(57)に、また吐出口(46c)を第８空間(58)にそれぞれ連通させるように配置されている。これら給気ファン(45)及び排気ファン(46)は、ファン回転軸線がケース(10)の表裏面と略平行になるように縦向きに配置されている。
【０１４２】
また、ケース(10)の前壁及び右壁前部にそれぞれ第８空間(58)（給気経路(41)）に連通する２つの排気口(16)，(16)が形成され、この２つの排気口(16)，(16)の一方は蓋部等により常時は閉塞されており、調湿装置(A)の施工時にこれらの一方を選択して開口するこ
とで、排気口(16)を２つの位置に変更可能としている。尚、外気吸込口(15)も同様に２つ形成されている。その他の構成は実施形態１と同様である（図１参照）。
【０１４３】
この実施形態に係る調湿装置(A)の調湿動作は、上記実施形態４と同様であるので、そ
の説明は省略する。よって、この実施形態でも、実施形態４と同様の作用効果が得られる。
【０１４４】
（６）実施形態６
図１１は実施形態６を示し、上記実施形態５の構成において、給気ファン(45)の向きを変えたものである。すなわち、この実施形態では、第１空間(51)に給気ファン(45)が吸込口(45b)をケース(10)の外気吸込口(15)に、また吐出口(45c)を第１空間(51)にそれぞれ連通させるように配置されている。その他の構成は実施形態５と同じである。よって、この実施形態でも実施形態５と同様の作用効果を奏し得る。
【０１４５】
（７）実施形態７
図１２は実施形態７を示し、上記実施形態５の構成において、給気ファン(45)の配置を変えたものである。すなわち、この実施形態では、実施形態５と同様に、第１空間(51)に給気ファン(45)が吸込口(45b)を第１空間(51)に、また吐出口(45c)を第２空間(52)にそれぞれ連通させるように配置されている。異なるのは、この給気ファン(45)はファン回転軸線がケース(10)の表裏面と略直交するように横向きに配置されていることである。その他の構成は実施形態５と同じである。よって、この実施形態でも実施形態５と同様の作用効果が得られる。
【０１４６】
（８）実施形態８
図１３は実施形態８を示し、上記実施形態７の構成において、８つの空間(51)〜(58)のレイアウトを変えたものである。すなわち、ケース(10)内には、その上下壁部を接続する縦隔壁(13)により、後右隅角部に位置する第１空間(51)と、前左隅角部に位置する第８空間(58)と、左右中央の後側に位置する第２空間(52)と、左右中央の前側に位置する第７空間(57)とが区画形成され、第２空間(52)と第７空間(57)とは後側に向かって左側に傾斜する縦隔壁(13)で仕切られている。第１空間(51)は第２空間(52)に、また第７空間(57)は第８空間(58)にそれぞれ連通している。ケース(10)内の前右隅角部の空間には第１熱交換器(2)がケース(10)の表裏面と略直交するように縦置きに配置され、この第１熱交換器(2)により該空間が左側の第３空間(53)と右側の第４空間(54)とに分割区画され、第４空間(54)下側のケース(10)下壁部に第１開口(61)が開口されている。また、ケース(10)内の後左隅角部の空間には第２熱交換器(3)がケース(10)の表裏面と略直交するように縦置きに配置
され、この第２熱交換器(3)により該空間が左側の第６空間(56)と右側の第５空間(55)と
に分割区画され、第６空間(56)下側のケース(10)下壁部に第２開口(62)が開口されている
。
【０１４７】
また、上記第２空間(52)と第３空間(53)との間に第１ダンパ(71)が、また第３空間(53)と第７空間(57)との間に第４ダンパ(74)が、また第２空間(52)と第５空間(55)との間に第２ダンパ(72)が、さらに第７空間(57)と第５空間(55)との間に第３ダンパ(73)がそれぞれ設けられている。
【０１４８】
そして、第１ダンパ(71)及び第３ダンパ(73)が開き、第２ダンパ(72)及び第４ダンパ(74)が閉じる第１通気モードになったときには、給気経路(41)は外気吸込口(15)から第１空間(51)、第２空間(52)、第１ダンパ(71)、第３空間(53)、第１熱交換器(2)及び第４空間(54)を経由して、給気口(17)をなす第１開口(61)に至る経路となり、排気経路(42)は内気
吸込口(18)をなす第２開口(62)から第６空間(56)、第２熱交換器(3)、第５空間(55)、第
３ダンパ(73)、第７空間(57)及び第８空間(58)を経て排気口(16)に至る経路となる。
【０１４９】
一方、第２ダンパ(72)及び第４ダンパ(74)が開き、第１ダンパ(71)及び第３ダンパ(73)が閉じる第２通気モードになったときには、給気経路(41)は外気吸込口(15)から第１空間(51)、第２空間(52)、第２ダンパ(72)、第５空間(55)、第２熱交換器(3)及び第６空間(56)を経由して、給気口(17)をなす第２開口(62)に至る経路となり、排気経路(42)は内気吸
込口(18)をなす第１開口(61)から第４空間(54)、第１熱交換器(2)、第３空間(53)、第４
ダンパ(74)、第７空間(57)及び第８空間(58)を経て排気口(16)に至る経路となる。よって、４つのダンパ(71)〜(74)による通気モードの切換えにより、第１通気モードではケース(10)下壁部の第１開口(61)が給気口(17)になりかつ第２開口(62)が内気吸込口(18)になる一方、第２通気モードでは第１開口(61)が内気吸込口(18)になりかつ第２開口(62)が給気口(17)になるように構成されている。
【０１５０】
そして、上記第１空間(51)には、ファン回転軸線をケース(10)の表裏面と略直交するようにした縦向きの給気ファン(45)が吸込口(45b)を第１空間(51)に、また吐出口(45c)を第２空間(52)にそれぞれ連通させるように配置されている。また、第８空間(58)には、ファン回転軸線をケース(10)の表裏面と略平行になるようにした横向きの排気ファン(46)が吸込口(46b)を第７空間(57)に、また吐出口(46c)を第８空間(58)にそれぞれ連通させるように配置されている。その他の構成は実施形態７と同様である（図１２参照）。よって、この実施形態でも実施形態７と同様の作用効果を奏することができる。
【０１５１】
（９）他の実施形態
尚、上記各実施形態では、ケース(10)の下壁部の露出パネル(11)に給気口(17)及び内気吸込口(18)（第１開口(61)及び第２開口(62)）を開口させ、これらにより調湿空気の室内への供給と室内空気の室外への排出とを行っているが、給気口(17)及び内気吸込口(18)の一方又は両方に連通する空間に臨むケース(10)側壁（例えば前壁、左右壁、後壁）に円形筒状のダクト接続口を開口し、このダクト接続口を給気口及び内気吸込口として用いてもよい（本来の給気口(17)や内気吸込口(18)は閉じる）。こうすれば、そのダクト接続口にダクトを接続して給気口及び／又は内気吸込口として利用することができ、このダクトにより、給気口(17)から室内に吹き出した調湿空気が室内に拡がらずにそのまま内気吸込口(18)に吸い込まれるいわゆるショートサーキットが発生するのを防止して、室内の調湿効率を高めることができる。
【０１５２】
また、上記各実施形態は、ケース内(10)に室外空気(OA)を吸い込んで調湿した後に室内に吹き出させ、室内空気(RA)を吸い込んで室外に吹き出させる換気タイプの調湿装置の例であるが、この他、室内空気を吸い込んで除湿又は加湿により調湿した後に同じ室内に吹き出させる循環タイプの調湿装置に対しても本発明を適用することができる。
【０１５３】
さらに、上記各実施形態では、調湿装置(A)として室内の天井部に取り付けられたカセ
ットタイプのものを説明したが、本発明はカセットタイプ以外の調湿装置に対しても適用することができるのは勿論である。
【産業上の利用可能性】
【０１５４】
本発明は、調湿装置における給気ファン及び排気ファンの双方をケース内の空気経路の室外側に位置させて各ファンの運転音を室内に漏出し難くでき、調湿装置における室内騒音の低下を図り得るという点で極めて有用であり、その産業上の利用可能性は高い。
【図面の簡単な説明】
【０１５５】
【図１】本発明の実施形態１に係る調湿装置の水平断面図である。
【図２】図１のII−II線断面図である。
【図３】図１のIII−III線断面図である。
【図４】冷媒回路の回路図である。
【図５】各ダンパを電気回路のスイッチと見倣したときの給気経路及び排気経路を表した説明図である。
【図６】実施形態２を示す図１相当図である。
【図７】実施形態３を示す図１相当図である。
【図８】実施形態３を示す図５相当図である。
【図９】実施形態４を示す図１相当図である。
【図１０】実施形態５を示す図１相当図である。
【図１１】実施形態６を示す図１相当図である。
【図１２】実施形態７を示す図１相当図である。
【図１３】実施形態８を示す図１相当図である。
【符号の説明】
【０１５６】
(A)  調湿装置
(B)  冷媒回路
(OA)  室外空気
(RA)  室内空気
(SA)  供給空気
(EA)  排出空気
(1)  圧縮機
(2)  第１熱交換器
(3)  第２熱交換器
(4)  四方切換弁
(5)  電動膨張弁
(10)  ケース
(15)  外気吸込口
(16)  排気口
(17)  給気口
(18)  内気吸込口
(31)〜(38)  ダンパ
(41)  給気経路
(42)  排気経路
(45)  給気ファン
(45b)  吸込口
(45c)  吐出口
(46)  排気ファン
(46b)  吸込口
(46c)  吐出口
(48)  ファンモータ
(61)  第１開口
(62)  第２開口
(71)〜(74)  ダンパ
【図１】
2005283047.tif 000003
【図２】
2005283047.tif 000004
【図３】
2005283047.tif 000005
【図４】
2005283047.tif 000006
【図５】
2005283047.tif 000007
【図６】
2005283047.tif 000008
【図７】
2005283047.tif 000009
【図８】
2005283047.tif 000010
【図９】
2005283047.tif 000011
【図１０】
2005283047.tif 000012
【図１１】
2005283047.tif 000013
【図１２】
2005283047.tif 000014
【図１３】
2005283047.tif 000015